(57)【要約】【課題】従来のゴルフボール拾集器よりも簡易な構造であって、耐久性を向上することが可能なゴルフボール拾集器を提供する。【解決手段】内部にゴルフボールを保持できる円筒状のボール収納パイプ１０と、ボール収納パイプ１０の第１の開口部近傍１４の内壁に設けられ、ボール収納パイプ１０の中心側に突き出た弾性部分を有しゴルフボールＢに第１の開口部１４を当接させて押し当てたときに弾性変形してゴルフボールをボール収納パイプ１０内に通過させて保持する１つ以上のキャッチャ部材１１と、キャッチャ部材１１をボール収納パイプ１０の内壁に固定するキャッチャ固定部材１２と、ボール収納パイプ１０の第２の開口部１５近傍の内壁に設けられ、ボール収納パイプ１０の中心側に毛が伸びたブラシ状のテープ１３と、を備える構成を有している。【選択図】図１
0003125458.tif 000002
【実用新案登録請求の範囲】
【請求項１】
内部にゴルフボールを保持できる円筒状のボール収納パイプと、
前記ボール収納パイプの第１の開口部近傍の内壁に設けられ、前記ボール収納パイプの中心側に突き出た弾性部分を有し、ゴルフボールに前記第１の開口部を当接させて押し当てたときに弾性変形して前記ゴルフボールを前記ボール収納パイプ内に通過させて保持する１つ以上のキャッチャ部材と、
前記キャッチャ部材を前記ボール収納パイプの内壁に固定するキャッチャ固定部材と、を備えることを特徴とするゴルフボール拾集器。
【請求項２】
前記ボール収納パイプが、ゴルフクラブのグリップのエッジからヘッドの付け根までの長さより短い長さを有し、内部に前記ゴルフクラブのシャフトを挿入することができることを特徴とする請求項１に記載のゴルフボール拾集器。
【請求項３】
前記キャッチャ部材が、少なくとも前記弾性部分がポリアミド系の樹脂からなることを特徴とする請求項１又は請求項２に記載のゴルフボール拾集器。
【請求項４】
前記ボール収納パイプの第２の開口部近傍の内壁に設けられ、前記ボール収納パイプの中心側に毛が伸びたブラシ状のテープを備えたことを特徴とする請求項１乃至請求項３のいずれか一項に記載のゴルフボール拾集器。
【請求項５】
前記ボール収納パイプが、塩化ビニール樹脂からなることを特徴とする請求項１乃至請求項４のいずれか一項に記載のゴルフボール拾集器。
【請求項６】
前記キャッチャ部材が、前記ボール収納パイプ内の前記第１の開口部近傍の内壁の、それぞれ異なる３箇所に設けられていることを特徴とする請求項１乃至請求項５のいずれか一項に記載のゴルフボール拾集器。
【考案の詳細な説明】
【技術分野】
【０００１】
本考案は、ゴルフボールを拾い集める際に使用するゴルフボール拾集器に関する。
【背景技術】
【０００２】
ゴルフにおけるアプローチ、パター等の練習では、ゴルフボールを短時間に多数回収する必要がしばしば生じる。ゴルフボールを一々前屈みになって一つ一つ拾う動作は、腰、肩等に負担となり、多数拾い集める場合は、腰等を痛める原因ともなる。このようなゴルフボールの拾い集めの負担を軽減するために用いるものとして、従来、図５に示すゴルフボール拾集器が知られている。図５（ａ）に示す構成のものでは、ゴルフボール拾集器は、キャッチャ機構部材２１の回収口近傍の側面に回動体２２を有し、ゴルフボールＢ上から押下されたときに回動体２２がピン２３を軸に回動してゴルフボールＢをキャッチャ機構部材２１内部に取り込み、取り込み後に元の位置に弾性的に復帰するようになっている（特許文献１参照。）。ゴルフボールＢの取り出しは、ピン２３を軸に回動体２２を外側に回動させて案内凸部２４とゴルフボールＢとの接触を解除させることによって行われる。
【０００３】
また、図５（ｂ）に示す他の構成では、ゴルフボール拾集器の遠端に「く」の字状に曲がった屈曲部を有するスプリング片３１の可とう性を利用して、ゴルフボール拾集器をゴルフボールＢ上から押下する際にスプリング片３１が弾性変形して３方からゴルフボールＢを本体３２内部に取り込むようになっている（特許文献２参照。）。ゴルフボールＢの取り出しは、ゴルフボール拾集器の握り部３３寄りの本体３２の側面に設けられた取出し口３４から行うことができるようになっている。
【０００４】
また、図５（ｃ）に示す他の構成では、図５（ｂ）に示すスプリング片と同様の片４１がボール収納部４２の一方の開口部の周上に複数設けられ、操作棒４３を用いてゴルフボールＢを内包するように片４１が設けられた開口部を上から押し当ててゴルフボールＢをボール収納部４２内部に取り込むようになっている（特許文献３参照。）。ボール収納部４２の他方の開口部の近傍には、弾性を有し中央側に突き出たストッパ４４が設けられゴルフボールＢが飛び出すのを防止するようになっている。ゴルフボールＢの取り出しは、ストッパ４４を内壁側に弾性変形させて開口部を広げることによってできるようになっている。
【特許文献１】登録実用新案第３０５５６９３号
【特許文献２】実開平０５−０２０７６５号公報
【特許文献３】実開平０６−０４８７１８号公報
【考案の開示】
【考案が解決しようとする課題】
【０００５】
しかしながら、従来のゴルフボール拾集器では、構成が複雑であり、また壊れ易い部分が多いという問題を有していた。具体的には、図５（ａ）に示す構成では回動体の関連部分等、図５（ｂ）に示す構成ではスプリング片が形成された部分等、図５（ｃ）に示す構成ではゴルフボール回収用の開口近傍、及び操作棒のボール収納部近傍部分等、が壊れ易い。
【０００６】
以上の現状に鑑み、本考案の目的は、従来のゴルフボール拾集器よりも簡易な構造であって、耐久性を向上することが可能なゴルフボール拾集器を提供する。
【課題を解決するための手段】
【０００７】
上記の課題を解決すべく、本考案は以下の構成を提供する。
請求項１に係る考案は、内部にゴルフボールを保持できる円筒状のボール収納パイプと、前記ボール収納パイプの第１の開口部近傍の内壁に設けられ、前記ボール収納パイプの中心側に突き出た弾性部分を有し、ゴルフボールに前記第１の開口部を当接させて押し当てたときに弾性変形して前記ゴルフボールを前記ボール収納パイプ内に通過させて保持する１つ以上のキャッチャ部材と、前記キャッチャ部材を前記ボール収納パイプの内壁に固定するキャッチャ固定部材と、を備えることを特徴とする。
【０００８】
請求項２に係る考案は、請求項１に記載のゴルフボール拾集器において、前記ボール収納パイプが、ゴルフクラブのグリップのエッジからヘッドの付け根までの長さより短い長さを有し、内部に前記ゴルフクラブのシャフトを挿入することができることを特徴とする。
【０００９】
請求項３に係る考案は、請求項１又は請求項２に記載のゴルフボール拾集器において、前記キャッチャ部材が、少なくとも前記弾性部分がポリアミド系の樹脂からなることを特徴とする。
【００１０】
請求項４に係る考案は、請求項１乃至請求項３のいずれか一項に記載のゴルフボール拾集器において、前記ボール収納パイプの第２の開口部近傍の内壁に設けられ、前記ボール収納パイプの中心側に毛が伸びたブラシ状のテープを備えたことを特徴とする。
【００１１】
請求項５に係る考案は、請求項１乃至請求項４のいずれか一項に記載のゴルフボール拾集器において、前記ボール収納パイプが、塩化ビニール樹脂からなることを特徴とする。
【００１２】
請求項６に係る考案は、請求項１乃至請求項５のいずれか一項に記載のゴルフボール拾集器において、前記キャッチャ部材が、前記ボール収納パイプ内の前記第１の開口部近傍の内壁の、それぞれ異なる３箇所に設けられていることを特徴とする。
【考案の効果】
【００１３】
請求項１に係る考案によれば、内部にゴルフボールを保持できる円筒状のボール収納パイプと、ボール収納パイプの第１の開口部近傍の内壁に設けられ、ボール収納パイプの中心側に突き出た弾性部分を有し、ゴルフボールに第１の開口部を当接させて押し当てたときに弾性変形してゴルフボールをボール収納パイプ内に通過させて保持する１つ以上のキャッチャ部材と、キャッチャ部材をボール収納パイプの内壁に固定するキャッチャ固定部材と、を備えるため、従来のゴルフボール拾集器よりも簡易な構造であって、耐久性を向上することが可能なゴルフボール拾集器を実現することができる。
【００１４】
請求項２に係る考案によれば、上記請求項１の効果に加えて、ボール収納パイプが、ゴルフクラブのグリップのエッジからヘッドの付け根までの長さより短い長さを有し、内部にゴルフクラブのシャフトを挿入することができるため、内部にゴルフクラブを挿入して別途の空間を必要とせずにゴルフバッグ内に収納することができる。
【００１５】
請求項３に係る考案によれば、上記請求項１又は請求項２の効果に加えて、キャッチャ部材が、少なくとも弾性部分がポリアミド系の樹脂からなるため、適度な弾性、高い耐久性、入手容易性等をさらに確保することができる。
【００１６】
請求項４に係る考案によれば、上記請求項１乃至請求項３のいずれか一項の効果に加えて、ボール収納パイプの第２の開口部近傍の内壁に設けられ、ボール収納パイプの中心側に毛が伸びたブラシ状のテープを備えたため、ゴルフクラブが内部に挿入された状態でゴルフクラブが傷付くことを防止または抑制することができる。
【００１７】
請求項５に係る考案によれば、上記請求項１乃至請求項４のいずれか一項の効果に加えて、ボール収納パイプが、塩化ビニール樹脂からなるため、軽量で優れた耐久性を有し、携帯性をさらに向上することができる。
【００１８】
請求項６に係る考案によれば、上記請求項１乃至請求項５のいずれか一項の効果に加えて、キャッチャ部材が、ボール収納パイプ内の第１の開口部近傍の内壁の、それぞれ異なる３箇所に設けられているため、ゴルフボールを内部に適切に保持することができる。
【考案を実施するための最良の形態】
【００１９】
以下、実施例を示した図面を参照しつつ本考案の実施の形態について説明する。
図１は、本考案によるゴルフボール拾集器の一実施例を模式的に示す縦断面図および説明図である。ゴルフボール拾集器１は、図１に示すように、内部にゴルフボールを保持できる円筒状のボール収納パイプ１０と、ボール収納パイプ１０の第１の開口部近傍１４の内壁に設けられ、ボール収納パイプ１０の中心側に突き出た弾性部分を有しゴルフボールＢに第１の開口部１４を当接させて押し当てたときに弾性変形してゴルフボールをボール収納パイプ１０内に通過させて保持する１つ以上のキャッチャ部材１１と、キャッチャ部材１１をボール収納パイプ１０の内壁に固定するキャッチャ固定部材１２と、ボール収納パイプ１０の第２の開口部１５近傍の内壁に設けられ、ボール収納パイプ１０の中心側に毛が伸びたブラシ状のテープ１３（以下、ブラシテープという。）と、を備えるように構成される。
【００２０】
ボール収納パイプ１０は、例えば、塩化ビニール等の合成樹脂からなり、図１（ｃ）に示すようにグリップのエッジＥからヘッドの付け根Ｎまでの長さより短い長さを有し、内部にゴルフクラブＣのシャフトを挿入することができるように構成される。
【００２１】
図２は、キャッチャ部材の配置の一実施例を示す底面図（ａ）、及びブラシテープの取り付け例を示す上面図（ｂ）である。キャッチャ部材１１は、例えば、ナイロン（商標）等のポリアミド系の弾性を有する樹脂からなり、ｄ字状の形状等の一方に突き出た弾性部分を有するように構成される。図１には、キャッチャ部材１１が第１の開口部１４近傍の内壁に対向するように設けられている例が示されているが、キャッチャ部材１１を、図２（ａ）に示すように、例えば、ボール収納パイプ１０の中心軸に関して略回転対称な位置、３箇所に設ける構成が、多数のゴルフボールをボール収納パイプ１０内に確実かつ簡易に保持できるため、好ましい。
【００２２】
図３は、キャッチャ部材の取り付けにビスを用いる実施例（ａ）、及びリベットを用いる実施例（ｂ）を示す縦断面図である。図３に示す実施例では、キャッチャ部材１１は、ｄ字状の形状を有し、一方に突き出た弾性部分１１ｄが第１の開口部１４の方向を向くと共にボール収納パイプ１０の中央側に突き出し、端部１１ｅが第２の開口部１５の方向を向いてビス止め（ａ）、又はリベット止め（ｂ）されている。ビス止めは、図３（ａ）に示すように、ビス１２ｂの先端及びナット１２ｎが弾性部分１１ｄの突端よりも内壁寄りとなるように設けられる。リベット止めは、アルミニウム等の金属からなるリベットと、鉄等からなるワッシャ１２ｗとを用い、例えば、プライヤー等の所定の工具を用いてリベットをヘッド１２ｈと先端の両方向から挟む方法、ドライブリベットをハンマで打ち込む方法等により、先端を変形させてワッシャ１２ｗ上に例えば符号１２ｅで示すようにのせるように行われる。キャッチャ固定部材１２は、１つのキャッチャ部材１１に対して複数用いられるのでもよい。このように構成することによって、キャッチャ部材１１を強固にボール収納パイプ１０の内壁に固定できる。また、キャッチャ固定部材１２として、上記のビス、リベット等の部材に加え、キャッチャ部材１１とボール収納パイプ１０の内壁との間に設ける両面テープ、接着剤等をさらに付加するのでもよい。
【００２３】
ブラシテープ１３は、図２（ｂ）に示すように、第２の開口部近傍の内壁に、ゴルフクラブのシャフト等がボール収納パイプ１０のエッジ等と接触して傷ついてしまうことを防止又は緩和できるように設けられる。ブラシテープ１３の毛の部分は、シャフトの金属表面等が傷つかない程度の強度を有する、化学繊維等から成る。
【００２４】
以下、ゴルフボール拾集器について具体的寸法等を示し、より詳細に説明する。図４は、ゴルフボール拾集器の各部のサイズについての説明図である。まず、図４（ａ）に示す実施例では、ボール収納パイプは、内径が５５〜６０ｍｍ程度、厚さｔ０が１．２〜２．０ｍｍ程度、長さが８５０ｍｍ程度以下のゴルフクラブに応じた寸法等の、サイズを有し、内部にゴルフクラブを挿入可能とすることによる携帯性、軽量性、強度等を兼ね備える。ここで、ゴルフボールの直径は、約４２．５ｍｍである。キャッチャ部材は、例えば、端部の厚さｔ１が４．５ｍｍ程度、端部のボール収納パイプの長手方向の長さｇ１が１０ｍｍ〜１２ｍｍ程度である。また、弾性部分で、例えば、キャッチャ部材の内壁と弾性部分の突端との距離ｔｄが１０．５ｍｍ程度、弾性部分の厚さｔ２が１．５〜２ｍｍ程度、上記の長手方向の長さｇ２が１０ｍｍ〜１２ｍｍ程度である。また、幅は、例えば、１０ｍｍ程度である。キャッチャ部材は、第１の開口部から１０ｍｍ程度の距離ｇＬ離して設けられる。また、これに対応するキャッチャ固定部材１２としては、例えば、首下の長さが９ｍｍのＭ３ネジと対応する厚さ３ｍｍのナットを用いる。
【００２５】
図４（ｂ）に示すリベットを用いる実施例では、キャッチャ部材１１は、固定に用いるリベット及び座金に応じて上記の長さｇ１に対応する端部の長さｇ３が変化するのでもよいが、互換性等との観点から、上記のものと同一のものを用いるのが好ましい。上記の寸法のキャッチャ部材１１を用いる場合、リベットとして、例えばリベット径が３．２ｍｍ程度、リベット長さが７ｍｍ程度を用い、ワッシャとしては対応する内径の平ワッシャを用いる。上記のように構成することによって、本発明によるゴルフボール拾集器は、３００ｇ程度のきわめて軽量に実現される。
【００２６】
以下、本発明によるゴルフボール拾集器の使用方法について説明する。まず、拾い集めようとするゴルフボールに、上方からボール収納パイプの第１の開口部を当接させて押し当てる。第１の開口部を地面近傍まで押下することによって、キャッチャ部材の中心側に突き出た弾性部分が内壁側に縮むように弾性変形してゴルフボールをボール収納パイプ内に通す。ここで、ゴルフボールがボール収納パイプ内に入ることによって、弾性部分は内部の応力が緩和して元の形状に復帰し、ゴルフボールをボール収納パイプ内の弾性部分上に保持する。ボール収納パイプ内に収納されたゴルフボールは、ボール収納パイプを傾ける等によって第２の開口部から容易に取り出すことができる。
【００２７】
また、ゴルフボール拾集器は、ゴルフバッグ内に、１本のゴルフクラブを入れる空間に、第１の開口部側から挿入することができる。ゴルフボール拾集器が収納される空間を占めるゴルフクラブは、ボール収納パイプ内に第２の開口部側からグリップを下にして挿入される。これによって、ゴルフバッグ内にゴルフボール拾集器を収納する新たな空間を設ける必要なく、ゴルフボール拾集器を携帯することが可能となる。
【図面の簡単な説明】
【００２８】
【図１】本考案によるゴルフボール拾集器の一実施例を模式的に示す縦断面図および説明図である。
【図２】キャッチャ部材の配置の一実施例を示す底面図（ａ）、及びブラシテープの取り付け例を示す上面図（ｂ）である。
【図３】キャッチャ部材の取り付けにビス用いる実施例（ａ）、及びリベットを用いる実施例（ｂ）を示す縦断面図である。
【図４】ゴルフボール拾集器の各部のサイズについての説明図である。
【図５】従来のゴルフボール拾集器の構成例を示す図である。
【符号の説明】
【００２９】
１  ゴルフボール拾集器
１０  ボール収納パイプ
１１  キャッチャ部材
１１ｄ  弾性部分
１１ｅ  端部
１２  キャッチャ固定部材
１２ｂ  ビス
１２ｅ  取り付けられた状態におけるリベットの先端部
１２ｈ  リベットのヘッド
１２ｎ  ナット
１２ｗ  ワッシャ
１３  ブラシテープ
１４、１５  開口部
２１  キャッチャ機構部材
２２  回動体
２３  ピン
２４  案内凸部
３１  スプリング片
３２  本体
３３  握り部
３４  取出し口
４１  片
４２  ボール収納部
４３  操作棒
４４  ストッパ
【図１】
0003125458.tif 000003
【図２】
0003125458.tif 000004
【図３】
0003125458.tif 000005
【図４】
0003125458.tif 000006
【図５】
0003125458.tif 000007